(57)【要約】      （修正有）【課題】市販されているＡＣインレットにＡＣプラグを挿し込んで使用するタイプのＡＣアダプタにＡＣコードの脱落防止を提供する。【解決手段】ＡＣインレットに挿し込まれたＡＣコードのプラグ部２０を押える押さえ金具３１とベルト３３により環状態を構成し、この環状態の寸法を調整する手法をベルト送り機構３２ａ、３２ｂなどで設けて、ＡＣアダプタ１０とＡＣコードを補足してＡＣコードのプラグをＡＣアダプタに押し付けることによって、ＡＣコードの脱落を防止する。【選択図】図１
2011103280.tif 000002
【特許請求の範囲】
【請求項１】
ＡＣインレットが実装されＡＣコードのプラグを挿し込んで使用するＡＣアダプタにおいてＡＣインレットに挿し込まれたＡＣコードのプラグが前記ＡＣインレットから抜け落ちないように固定するＡＣコード脱落防止具であり押さえ金具の両先端部に設けられた腕状連結部に連結した一対のベルト送り機構と両端をベルト送り機構を通すことで押さえ金具とベルと送り機構とベルトが形成する環状態を有し、環状態のサイズをベルト送り機構を介してベルトを引くことで調整することができＡＣアダプタとＡＣコードを補足してＡＣコードのプラグをＡＣアダプタに押し付けることでＡＣコードの脱落を防止するＡＣアダプタ用のＡＣコード脱落防止具。
【請求項２】
ＡＣインレットが実装されＡＣコードのプラグを挿し込んで使用するＡＣアダプタにおいてＡＣインレットに挿し込まれたＡＣコードのプラグが前記ＡＣインレットから抜け落ちないように固定するＡＣコード脱落防止具であり押さえ金具の両先端部に設けられた腕状連結部にベルトかけて折り返しベルトの両端付近に取り付けた面ファスナで折り返し状態を維持することで環状態を有し、環状態のサイズをベルトの折り返し位置を変化させることで調整することができＡＣアダプタとＡＣコードのプラグを補足してＡＣコードのプラグをＡＣアダプタに押し付けることでＡＣコードの脱落を防止するＡＣアダプタ用のＡＣコード脱落防止具。
【請求項３】
前記請求項１ならびに請求項２のＡＣアダプタ用のＡＣコード脱落防止具は、ＡＣアダプタのインレットが実装された面に対向する面ベルトの幅方向中央にＡＣアダプタの出力コードを通すためのスリットまたはワイヤ環を設けることでＡＣアダプタとＡＣコードのプラグを捕捉する環構成に安定な位置確保を可能としたＡＣアダプタ用のＡＣコード脱落防止具。
【発明の詳細な説明】
【技術分野】
【０００１】  本発明は、例えばＡＣインレットが実装されＡＣコードのプラグ部をＡＣインレットに挿し込んで使用するＡＣアダプタのＡＣコードのプラグがＡＣインレットから不用意に脱落することを防止するＡＣコード脱落防止具に関するものである。
【技術的背景】
【０００２】  様々な機器に電力を供給するために用いられるＡＣアダプタのうち比較的扱い電力が大きいものはＡＣインレットが実装され、これにＡＣコードのプラグを挿し込んで使用するようになっている。一般にＡＣアダプタは機器本体の筐体外に設置され、機器本体には十分に配慮された設置条件を与えられるが反面ＡＣアダプタは特別な設置条件を与えられることは少なく特に前記のＡＣインレットにＡＣコードのプラグを挿し込んで使用するタイプのＡＣアダプタの多くは機器本体近傍の床上に転がされていることが多い。ＡＣインレットにはＩＥＣで統一さた規格が適用され、同様に規格が統一されたＡＣコードのプラグが挿し込まれるがＡＣコードの脱落を積極的に防止する機構は備わっていないため特に床上に転がされた状態のＡＣアダプタにおいては不用意なＡＣコードの脱落事故の危険性があった。
【０００３】  また、ＡＣアダプタのＡＣインレットはＡＣインレットの固定ネジを含めてＡＣアダプタの筐体内部に埋め込まれているため、また更に、ＡＣアダプタは一度工場から出荷されると筐体を開くことは想定されていないためＡＣアダプタには一切の付加部品を直接固定する要素は排除されていて負荷部品の取付けは極めて困難なため有効なＡＣコードの脱落防止具の装着ができなかった。
【０００４】  近年は簡易用途で使用することの多いノート型以外の据付型などのパーソナルコンピュータにもＡＣアダプタを電源部して用いることが増えてきた。医療機器などの信頼性を要する機器においてもＡＣアダプタが電源として用いられることが少なくない。これらの機器の電源部として用いられるＡＣアダプタは殆んどがＡＣインレットにＡＣコードを挿し込んで使用する形式であり、多くの機器が集中的に設置される現場では複数のＡＣアダプタが床上に転がされ、中には廊下などの通路にもこの状況が見られ、事故防止のためにはＡＣアダプタ用の有効なＡＣコード脱落防止具が必要とされる。
【発明の概要】
【発明が解決しようとする課題】
【０００５】  ＡＣアダプタは特別な知識が無くても簡便に使用できるべきという要求があり、基本的には工場から出荷以後は一切の調整や付加部品の取り付けは考慮されていない。また、工場出荷以後一切手を加えられない考慮さえ重要な設計要素とされている。このためＡＣアダプタは他の電源装置と異なり筐体表面に外部からアクセスが可能なネジが通常は一切なく、ＡＣコードをＡＣインレットに挿し込んで使用するＡＣアダプタにおいてもＡＣコードの脱落防止措置を施すのが困難である。【０００６】  本発明のＡＣアダプタ用のＡＣコード脱落防止具はＡＣコードのプラグをＡＣインレットに挿し込んで使用するＡＣアダプタに広く共用でき、ＡＣコードのプラグの異なる寸法に対する調節能力を備え、装着時にＡＣアダプタへの新たな穴あけや分解がやねじ止めが一切必要なく、既に使用中のＡＣアダプタにも後付け装着が容易なＡＣアダプタ用のＡＣコード脱落防止具を提供することを目的とする。
【課題を解決するための手段】
【０００７】  上記目的を達成するための本発明のＡＣアダプタ用のＡＣコード脱落防止具は、ＡＣアダプタに実装されたＡＣインレットに挿しこまれたＡＣコードのプラグがＡＣインレットから脱落しないように固定するＡＣアダプタ用のＡＣコード脱落防止具において、
（１）ＡＣコード脱落防止具はＡＣコードのプラグを抑える押さえ金具と、押え金具の両端に連結したベルト送り機構一対を備え、ベルト送り機構を介して寸法調整が可能な環状を形成するＡＣアダプタを捕捉するベルトで構成され、
（２）押え金具は中央にコの字型部を有し、コの字部がＡＣプラグの肩部であるコード付根部の三方を囲みＡＣプラグを確実に捕捉する。コの字の開脚部両先端は略直角にいったんＡＣインレットの方向に曲げられて伸び、途中で更に直角にコの字の閉塞部方向側に曲げられてコの字の両開脚部に略並行に伸びた腕状部分がベルト送り機構の連結部になっている。
（３）またベルト送り機構の連結部の先端は略直角にコの字部分方向にに曲げられてベルト送り機構がベルト送り機構の連結部の腕状部分から脱落するのを防いでいる。
（４）押さえ金具はベルト送り機構を介して環状に形成されたベルトでＡＣコードのプラグとＡＣアダプタを共に捕捉し、ベルト送り機構により環状のベルト寸法を調節することでＡＣアダプタ本体にＡＣコードのプラグ部を強く押さえつけることによりＡＣコードのＡＣアダプタからの脱落を防止することを特徴とするものである。
（５）更に、ベルトはＡＣインレットが実装された面と対向する面付近でベルト幅の中央部に適度な長さにスリットを長手方行に入れるか、または金属またはプラスチックなどの材質の適度な寸法のワイヤ環を入れることで、ＡＣアダプタのＡＣインレット実装面に対向する面に設けられた出力ケーブルを通すことができ、出力コード付近の環状ベルト位置をより適正に保ち得ることを特徴とするものである。この場合、ワイヤ環の形状は円でも四角でも良い。【０００８】  ここで、前記ベルト送り機構は直接に押え金具の腕状の連結部に連結しても良く、或いはベルト送り部を独立して用意して独立したベルト環で押え金具の連結部に連結しても良い。
（６）また、ベルト送り機構は押え金具の両端のベルト送り機構の連結部に夫々連結したものであっても良く、或いはその一方をベルト送り機構の無いワイヤ環に置き換えたものであっても良い。【０００９】  更に、ベルト送り機構を省略し、面ファスナを設けたベルトを押さえ金具の腕状連結部に直接かけてベルトの環状の寸法を調節して折り返した面ファスナでベルト折り返し状態が維持できるようにしても良い。
【発明の効果】
【００１０】  本発明のＡＣアダプタ用のＡＣコード脱落防止具では、ＡＣアダプタに一切加工を加えること無く確実にＡＣコードの脱落防止をすることができ、ベルト送り機構またはベルト折り返しと面ファスナにより環状のベルトの寸法を広範囲に調整できることから各社の広範囲の形状寸法のＡＣアダプタにＡＣコードの脱落防止機能を提供でき、通路などに転がされているＡＣアダプタが過って蹴られる様なことに遭ってもＡＣコードのＡＣアダプタからの脱落を完全に防止できる。【００１１】
【図面の簡単な説明】
【００１２】
【図１】の（Ａ）はベルト送り機構を用いた本発明のＡＣアダプタのＡＣコード脱落防止具をＡＣアダプタに装着した状態の斜視図であり、（Ｂ）は（Ａ）の図からＡＣアダプタとＡＣコードを除いて本発明のＡＣアダプタ用ＡＣコード脱落防止具の構造を分かり易く表した斜視図である。
【図２】の（Ａ）はベルト送り機構を用いずにベルトの両端近くに面ファスナを取付け、ベルト端近くを直接抑え金具の腕状連結部に掛けて折り返して面ファスナ３４，３４ｂで折り返し状態を維持可能にした本発明のＡＣアダプタのＡＣコード脱落防止具をＡＣアダプタに装着した斜視図であり、（Ｂ）は（Ａ）の図からＡＣアダプタとＡＣコードを除いて本発明のＡＣアダプタ用ＡＣコード脱落防止具の構造を分かり易く表した斜視図である。
【図３】の（Ａ）はＡＣインレットを実装した面の対向面付近のベルトに設けたスリット４０ａをワイヤ環４０ｂに替えた本発明のＡＣアダプタ用ＡＣコード脱落防止具の斜視図であるり、（Ｂ）はワイヤ環４０ｂをＡＣアダプタの出力コード１２が通り抜けた状態を示すＡＣアダプタの異なる角度から見た斜視図である。
【発明を実施するための形態】
【００１３】  本発明はＡＣアダプタ１０のＡＣインレット１１にＡＣコードのプラグ２０を挿しこんで使用するＡＣアダプタのＡＣコード脱落防止具において実現された。
【実施例１】
【００１４】  図１（Ａ）と図１（Ｂ）を参照して、ＡＣインレット１１にＡＣコードのプラグ２０を挿し込んで使用するＡＣアダプタのＡＣコード脱落防止具３０の本発明の実施例１を説明する。なお図の各部に付した番号は同一部には同一の番号を付している。【００１５】  はじめにＡＣインレット１１を持つＡＣアダプタ１０はＡＣインレット１１にＡＣ電圧が充電されたＡＣコードのプラグ２０が差し込まれると動作する。ＡＣアダプタの中には電源スイッチを持つ形態の物もあるが、本発明のＡＣコード脱落防止具の作用は電源スイッチの有無に拘わらず同じであるので、電源スイッチが有るＡＣアダプタについての説明は省略し電源スイッチが無いＡＣアダプタについての説明のみを行う。【００１６】  ＡＣアダプタ１０のＡＣインレット１１に挿し込まれたＡＣコードのプラグ２０の肩部２１に押さえ金具３１のコの字部３１ａがあてがわれるとＡＣコードのコード付け根部分２２は三方が押さえ金具のコの字の各辺に囲まれ押さえ金具のＡＣプラグ２０上の位置は安定する。押さえ金具３１のコの字３１ａの開脚の先端付近にはベルト送り機構３２ａを介してベルト３３を押さえ金具３１に連結できる連結部３１ｃがあり、ベルト３３は一方のベルト送り機構３２ａからＡＣアタプタ１０のＡＣインレット１１が実装されている面の対向面を経由して一回りして押さえ金具の反対側の腕状連結部３１ｃに連結されたもう一つのベルト送り機構３２ｂに至る。ベルト３３にはＡＣアダプタのＡＣインレット１１が実装されている面の対向面位置にスリットがあり、ＡＣアダプタ１０の出力コード１２はこのスリットを通すことができる。この様にしてベルト３３とベルト送り機構３２ａ，３２ｂと押さえ金具３１よる環状態が形成される。この様にして形成された環状態がＡＣアダプタ１０とＡＣコードのプラグ２０を共に捕捉して、その後、ベルト送り機構３２ａ，３２ｂを通した各々のベルトの端を強く引くことでＡＣコードのプラグ２０はＡＣアダプタ１０に押し付けられ、脱落が防止される。
【実施例２】
【００１７】  図２（Ａ）と図２（Ｂ）を参照して、ＡＣインレットにＡＣコードのプラグを挿し込んで使用するＡＣアダプタのＡＣコード脱落防止具の本発明の実施例２を説明する。なお図の各部に付した番号は同一部には同一の番号を付している。【００１８】  はじめにＡＣインレット１１を持つＡＣアダプタ１０はＡＣインレット１１にＡＣ電圧が充電されたＡＣコードのプラグ２０が差挿し込まれると動作する。ＡＣアダプタの中には電源スイッチを持つ形態の物もあるが、本発明のＡＣコード脱落防止具の作用は電源スイッチの有無に拘わらず同じであるので、電源スイッチが有るＡＣアダプタについての説明は省略し電源スイッチが無いＡＣアダプタについての説明のみを行う。【００１９】  実施例２の押さえ金具にはベルト送り機構の連結が省略されている。代わりに、ベルトの両端部分付近には面ファスナー３４、３４ｂが取付けられている。ＡＣアダプタ１０のＡＣインレット１１に挿し込まれたＡＣコードのプラグ２０の肩部２１に押さえ金具３１のコの字部３１ａがあてがわれるとＡＣコードのコード付け根部分は三方が押さえ金具のコの字の各辺に囲まれ押さえ金具のＡＣプラグ２０上の位置は安定する。押さえ金具３１のコの字３１ａの開脚の先端付近には腕状連結部３１ｃ，３１ｃがある。ベルト３３は一方の端を押さえ金具の一方の腕状連結部３１ｃに直接掛けて折り返して面ファスナ３４ｂを面ファスナ３４に合わせて折り返しを維持する。ベルト３３の他端も同様に押さえ金具３１のもう一方の腕状連結部３１ｃに掛けて折り返し、面ファスナにより折り返しを維持できる。ベルト３３は一方の腕状連結部３１ｃに連結し、ＡＣアタプタ１０のＡＣインレット１１が実装されている面の対向面を経由して一回りして押さえ金具の反対側の腕状連結部３１ｃに至る。ベルト３３にはＡＣアダプタのＡＣインレット１１が実装されている面の対向面位置部分にスリットがあり、ＡＣアダプタ１０の出力コード１２はこのスリットを通すことができる。この様にしてベルト３３と押さえ金具３１による環状態が形成される。この様にして形成された環状態がＡＣアダプタ１０とＡＣコードのプラグ２０を共に捕捉して、その後、それぞれのベルトの端を強く引いて面ファスナ３４，３４ｂを合わせて折返し状態を維持することでＡＣコードのプラグ２０はＡＣアダプタ１０に押し付けられ、脱落が防止される。
【出力コード処理部の実施例２】
【００２０】  次に図３（Ａ）と図３（Ｂ）を参照して本発明のＡＣアダプタ用のＡＣコード脱落防止具のＡＣアダプタの出力コード処理部の実施例２を説明する。実施例１ではベルトにスリットを設けたが、本実施例２ではワイヤ環を用い、ベルトを略中央部で２分してワイヤ環を挿入して二分したベルトを夫々通して折り返し、折り返したベルトをハトメ４０ｃで固定している。ワイヤ環は四角形でも円形でも或いは他の形でも良いがその内径は出力コードのブッシング部１２ａや出力コード先端に接続されている出力プラグまたはコネクタが通り抜けられることが必要である。
【符号の説明】
【００２１】１０  ＡＣアダプタ本体
１１  ＡＣアダプタに実装されたＡＣインレット
１２  ＡＣアダプタの出力コード
１２ａ  ＡＣアダプタの出力コードのブッシング
２０  ＡＣコードのプラグ部
２１  ＡＣコードのプラグ部の肩部分
２２  ＡＣコードのコード部の付け根部分
３０  ＡＣアダプタ用のＡＣコード脱落防止具
３１ａ  押さえ金具のコの字部
３１ｂ  押さえ金具のコの字部と連結部を結ぶ部分
３１ｃ  押さえ金具の連結部
３２ａ，３２ｂ  ベルト送り機構
３３  ベルト
３３ｂ  ベルトの先端
３４、３４ｂ  ベルトに取り付けた面ファスナ
４０ａ  出力コードを通すスリット
４０ｂ  出力コードを通すワイヤ環
４０ｃ  ワイヤ環にベルトを折り返して固定するハトメ
【図１】
2011103280.tif 000003
【図２】
2011103280.tif 000004
【図３】
2011103280.tif 000005